(57)【特許請求の範囲】
【請求項１】
建物の外周部分に施工された布基礎の立ち上がり部の外側面及び／又は内側面に密着した断熱材の内部を白アリが通過して軸組及び床組へ侵入するのを物理的に防止する建物の防蟻構造であって、
前記立ち上がり部の外側面に密着した断熱材の外側面及び／又は立ち上がり部の内側面に密着した断熱材の内側面に、前記白アリの分泌物に耐性の耐腐食性材料で構成されたシート材を介して更に断熱材が取付けられていることを特徴とする建物の防蟻構造。
【請求項２】
前記布基礎の内面と、この布基礎の内方に設けられた基礎及び／又は束石の側面に、前記白アリの分泌物に耐性の耐腐食性材料で構成されたシート材を前記床下空間内へその上縁部が突出するようにしてそれぞれ取付けたことを特徴とする請求項１記載の建物の防蟻構造。
【請求項３】
建物の外周部分に施工された布基礎の立ち上がり部の外側面及び／又は内側面に密着した断熱材の内部を白アリが通過して軸組及び床組へ侵入するのを物理的に防止する建物の防蟻構造であって、
前記断熱材の下面に、前記白アリの分泌物に耐性の耐腐食性材料で構成されかつ複数のアンカー孔を有するシート材を介して更に断熱材が取付けられていると共に、
前記布基礎の内面と、この布基礎の内方に設けられた基礎及び／又は束石の側面に、前記白アリの分泌物に耐性の耐腐食性材料で構成されかつ複数のアンカー孔を有するシート材を前記床下空間内へその上縁部が突出するようにしてそれぞれ取付けたことを特徴とする建物の防蟻構造。
【請求項４】
前記シート材が地盤面より高い位置にあることを特徴とする請求項３記載の建物の防蟻構造。
【請求項５】
前記シート材が、前記白アリの頭部横断面の最大寸法より小径の複数のアンカー孔を有することを特徴とする請求項１乃至４のいずれか記載の建物の防蟻構造。
【発明の詳細な説明】
【０００１】
【発明の属する技術分野】
この発明は、建物の断熱基礎に使用される断熱材の内部を白アリが通過して軸組や床組へ侵入するのを物理的に防止する建物の防蟻構造に関する。
【０００２】
【従来の技術】
建物における従来の白アリ防除技術としては、例えば、(1) 建物の床下の地盤（土壌）と、地面から１ｍ以内の木部とを薬剤で処理する方法や、(2) 白アリの活動をモニタリングしながら、侵入してきた白アリに少量の薬剤を含む毒餌を摂食させて根絶するベイト工法（レスケミカル法）等が知られている。
【０００３】
しかしながら、上記のような従来例(1) においては、薬剤に起因する化学物質過敏症等の問題があり、即ち、建物内の環境が化学物質によって汚染されるという問題点がある。
【０００４】
また、従来例(2) においては、白アリに毒餌を摂食させ、コロニー全体の活力を衰退させることを目的とするので、その開始から終了までに少なくとも数カ月〜２年程度の長期間を要するという問題点がある。
【０００５】
そこで、これらの問題が発生しないように、(3) 薬剤を全く使用しない、ステンレスメッシュや破砕石等の物理的なバリアーを構築する物理的工法（ケミカルフリー法）等が提案されている。この物理的工法に使用されるバリアー材としては、例えば、特許第２６５２９０２号公報及び特表平８−５０６８６８号公報に開示されているように、白アリの分泌物に耐性で且つ少なくとも約７０のショア硬度を有する耐腐食性材料の編み目シートからなり、この編み目の孔がいずれの方向においても制御すべき白アリ種の頭部横断面の最大寸法より小径である白アリバリアー材等がある。
【０００６】
【発明が解決しようとする課題】
しかしながら、上記のような従来例(3) においては、断熱基礎等に使用される断熱材の内部を白アリが通過するのを防止することについては開示されていない。
【０００７】
この発明は、以上のような問題点に鑑みてなされたものであり、断熱基礎に使用される断熱材の内部を白アリが通過して軸組や床組へ侵入するのを物理的に防止できる建物の防蟻構造を提供することを目的とする。
【０００８】
【課題を解決するための手段】
上記目的を達成するための手段とするところは、第１に、建物の外周部分に施工された布基礎の立ち上がり部の外側面及び／又は内側面に密着した断熱材の内部を白アリが通過して軸組及び床組へ侵入するのを物理的に防止する建物の防蟻構造であって、前記立ち上がり部の外側面に密着した断熱材の外側面及び／又は立ち上がり部の内側面に密着した断熱材の内側面に、前記白アリの分泌物に耐性の耐腐食性材料で構成されたシート材を介して更に断熱材が取付けられていることにある。
第２に、前記布基礎の内面と、この布基礎の内方に設けられた基礎及び／又は束石の側面に、前記白アリの分泌物に耐性の耐腐食性材料で構成されたシート材を前記床下空間内へその上縁部が突出するようにしてそれぞれ取付けたことにある。
【０００９】
第３に、建物の外周部分に施工された布基礎の立ち上がり部の外側面及び／又は内側面に密着した断熱材の内部を白アリが通過して軸組及び床組へ侵入するのを物理的に防止する建物の防蟻構造であって、前記断熱材の下面に、前記白アリの分泌物に耐性の耐腐食性材料で構成されかつ複数のアンカー孔を有するシート材を介して更に断熱材が取付けられていると共に、前記布基礎の内面と、この布基礎の内方に設けられた基礎及び／又は束石の側面に、前記白アリの分泌物に耐性の耐腐食性材料で構成されかつ複数のアンカー孔を有するシート材を前記床下空間内へその上縁部が突出するようにしてそれぞれ取付けたことにある。
【００１０】
第４に、前記シート材が地盤面より高い位置にあることにある。
【００１１】
第５に、前記シート材が、前記白アリの頭部横断面の最大寸法より小径の複数のアンカー孔を有することにある。
【００１２】
【発明の実施の形態】
以下、この発明の実施形態を図面に基づいて説明する。
図１乃至図４に示すように、第１実施形態に係る建物Ａの防蟻構造は、建物Ａの外周部分に施工された布基礎１の立ち上がり部２の例えば外側面２ａに密着した断熱材３の内部を白アリ４が通過して軸組Ｂ及び床組Ｃへ侵入するのを物理的に防止するものであって、前記断熱材３の外側面３ａに、前記白アリ４の分泌物に耐性の耐腐食性材料で構成された例えばステンレスメッシュ（シート材）５を介して更に断熱材６が取付けられているものである。
【００１３】
前記布基礎１は、図１及び図２に示すように、建物Ａの外周部分に平面視で例えば矩形状に施工され、立ち上がり部２とベース部７とから例えば横断面が逆Ｔ字状に形成されている。
【００１４】
前記断熱材３は、例えば合成樹脂発泡体等から構成され、前記立ち上がり部２の外側面２ａに配置されて例えばこの立ち上がり部２とベース部７の隅角部８に密着するように取付けられている。
【００１５】
前記断熱材６も、例えば合成樹脂発泡体等から構成され、前記断熱材３の外側面３ａにステンレスメッシュ５を介して取付けられている。なお、この断熱材６は、前記断熱材３の外側面３ａに例えば釘、ビス、ステープル等の止着部材や接着剤等によってあらかじめ又は建築現場で取付けられたステンレスメッシュ５の上から建築現場において接着剤等で取付けてもよいし、あるいはこの断熱材６と前記断熱材３の間にあらかじめステンレスメッシュ５を埋設等して形成した積層体を前記立ち上がり部２の外側面２ａに密着するようにしてもよい。
【００１６】
前記白アリ４とは、ゴキブリに近縁の社会生活をする不完全変態の昆虫であって、シロアリ目（等翅類）Isopteraの総称である。このような白アリ４としては、例えば、ヤマトシロアリやイエシロアリ等の各種の白アリが挙げられる。また、この白アリ４は、図３に示すように、非変形性の堅い頭部４ａを有する一方、比較的柔らかくて弱い体部４ｂを有している。
【００１７】
前記ステンレスメッシュ５は、図４に示すように、白アリ４の分泌物に耐性で且つ少なくとも約７０のショア硬度を有する耐腐食性材料であるステンレス鋼ワイヤー５ａ等から製織され、前記白アリ４の頭部４ａの横断面の最大寸法Ｈより小径の複数の編み目９を有している。このようなステンレスメッシュ５としては、例えば、「ターミーメッシュ（ＴＥＲＭＩ−ＭＥＳＨ）」（商品名、ターミーメッシュ・オーストラリア社製）等を好適に使用することができる。
【００１８】
なお、白アリバリアー材として使用されるシート材としては、このようなステンレスメッシュ５に限定されるものではなく、白アリ４から放出されるギ酸等の分泌物に耐性で且つ白アリ４が噛み砕くことができない硬さ、好ましくは少なくとも約７０のショア硬度を有すると共に、使用環境下で数十年の耐用年数を有する耐腐食性材料で構成されていれば、種々のものを使用することができる。このようなシート材としては、例えば、セラミックス、ガラス、合成樹脂等の繊維、フィラメント、ストランド等から製織又は製編等されたシートや不織布、あるいは金属板、金属シート等が挙げられる。
【００１９】
ここで、シート材が、この実施形態のようにいずれの方向においても前記白アリ４の頭部４ａの横断面の最大寸法Ｈより小径の複数の編み目９等のアンカー孔を有する場合には、白アリ４の進行をこのシート材により阻止できると共に、前記２層の断熱材３，６の間にシート材を介在させた状態においてはこのアンカー孔内に接着剤や合成樹脂発泡体等が充填されるので、アンカー効果により前記２層目の断熱材６の取付けをより強固にできるという利点がある。
【００２０】
なお、複数のアンカー孔を有するシート材としては、前記複数の編み目９を有するステンレスメッシュ５の他、図５に示すように、例えばアンカー孔１０を打ち抜いて形成したパンチングメタル１１等が挙げられる。
【００２１】
このように、前記２層の断熱材３，６の間にステンレスメッシュ５等のシート材を介在させておけば、地盤１２中から２層目の断熱材６の内部に侵入した白アリ４の進行は、このシート材により阻止される。そのため、前記立ち上がり部２の外側面２ａに密着した１層目の断熱材３を白アリ４による食害から保護でき、この断熱材３の内部を白アリ４が通過して軸組Ｂや床組Ｃへ侵入するのを防止できるという利点がある。
【００２２】
なお、この実施形態においては、前記立ち上がり部２の外側面２ａに断熱材３，６を取付ける場合について説明したが、これに限定されるものではなく、立ち上がり部２の内側面２ｂに断熱材３を密着させ、この断熱材３の内側面に前記シート材を介して更に２層目の断熱材６を取付けてもよいし、あるいはこのようにして外側面２ａと内側面２ｂの両方に取付けるようにしてもよい。
【００２３】
また、前記１層目の断熱材３の下面３ｄは、この実施形態のようにベース部７と密着させて地盤１２と接しないようにし、この下面３ｄから白アリ４が侵入しないようにしておくのが望ましい。
【００２４】
更に、前記布基礎１の内方の地盤面１２ａ上には、前記布基礎１の内方に形成される床下空間１３の防湿を図ること等を目的として、この実施形態のように必要に応じて防湿シート１４を敷設すると共に、その上から例えば捨てコン、乾燥砂、乾燥砂利等の押さえ層１５を設けておいてもよいし、あるいは土間床を施工しておいてもよい。
【００２５】
前記地盤面１２ａ上に土間床を施工する場合には、この土間床と前記布基礎１との打ち継ぎ部分や、土間床と前記布基礎１の内方に設けられた布基礎１６等との打ち継ぎ部分からの侵入を防止するために、これら打ち継ぎ部分の上方又は下方に、シート材をこれら打ち継ぎ部分を閉塞するようにそれぞれ取付けておくのが望ましい。
【００２６】
図７に示すように、第２実施形態に係る建物Ａの防蟻構造は、例えば、第１実施形態の断熱材３より低く且つ厚く形成されて前記立ち上がり部２の外側面２ａの上方側に密着した断熱材２３の内部を白アリ４が通過して軸組Ｂ及び床組Ｃへ侵入するのを物理的に防止するものであって、前記断熱材２３の下面２３ｄに、前記ステンレスメッシュ５を介して更に断熱材２６が取付けられているものである。
【００２７】
このように、前記上下２段の断熱材２３，２６の間にステンレスメッシュ５等のシート材を介在させておけば、第１実施形態と同様、地盤１２中から１段目の断熱材２６の内部に侵入した白アリ４の進行は、このシート材により阻止される。そのため、２段目の断熱材２３を白アリ４による食害から保護でき、この断熱材２３の内部を白アリ４が通過して軸組Ｂや床組Ｃへ侵入するのを防止できるという利点がある。
【００２８】
ここで、この実施形態のように、シート材が地盤面１２ａより高い位置にある場合には、２段目の断熱材２３が地盤１２と接しないので、この２段目の断熱材２３をより効果的に保護できるという利点がある。
【００２９】
なお、この実施形態においては、前記立ち上がり部２の外側面２ａに断熱材２３，２６を取付ける場合について説明したが、これに限定されるものではなく、立ち上がり部２の内側面２ｂだけ、あるいは外側面２ａと内側面２ｂの両方に取付けるようにしてもよい。
【００３０】
また、断熱基礎に使用される断熱材３，２３を白アリ４による食害から保護する場合について説明したが、これに加え、前記床下空間１３から軸組Ｂや床組Ｃへの白アリ４の侵入をも防止するために、例えば、
▲１▼  前記布基礎１の内方にシート材を張り渡すようにして設ける、
▲２▼  前記布基礎１の内面と、この布基礎１の内方に設けられた布基礎１６等の側面に、シート材を前記床下空間１３内へその上縁部が突出するようにしてそれぞれ取付ける、
▲３▼  少なくとも前記布基礎１と軸組Ｂの間、及び前記布基礎１６等と軸組Ｂ又は床組Ｃの間に前記シート材をそれぞれ介在させると共に、これらシート材の前記床下空間１３内に突出する縁部をそれぞれ下方側へ折曲する、
▲４▼  前記軸組Ｂに使用される土台２７等の構成部材及び床組Ｃに使用される大引き２８等の構成部材の少なくとも下面を前記シート材でそれぞれ被覆する、
▲５▼  前記軸組Ｂ及び床組Ｃの下面を前記シート材で全面に渡って被覆する、
等の手段をも講じるのが望ましい。
【００３１】
更に、前記布基礎１の内方に設けられる基礎としては、図１及び図６に示すような間仕切基礎等の布基礎１６に限定されるものではなく、他に例えば束基礎等の独立基礎等が挙げられる。また、このような基礎と共に又は基礎に代えて、束石が設けられていてもよい。
【００３２】
【発明の効果】
以上のように、請求項１及び請求項２の発明によれば、前記立ち上がり部の外側面に密着した断熱材の外側面及び／又は立ち上がり部の内側面に密着した断熱材の内側面に、前記シート材を介して更に断熱材が取付けられているので、地盤中から２層目の断熱材の内部に侵入した白アリの進行が前記シート材により阻止される。そのため、１層目の断熱材を白アリによる食害から保護でき、この断熱材の内部を白アリが通過して軸組や床組へ侵入するのを防止できるという利点がある。
【００３３】
請求項３の発明によれば、前記断熱材の下面に、前記シート材を介して更に断熱材が取付けられているので、地盤中から１段目の断熱材の内部に侵入した白アリの進行が前記シート材により阻止される。そのため、２段目の断熱材を白アリによる食害から保護でき、この断熱材の内部を白アリが通過して軸組や床組へ侵入するのを防止できるという利点がある。
【００３４】
請求項４の発明によれば、前記シート材が地盤面より高い位置にあるので、２段目の断熱材が地盤とは接しない。そのため、請求項２の効果に加え、この２段目の断熱材をより効果的に保護できるという利点がある。
【００３５】
請求項５の発明によれば、前記シート材が、前記白アリの頭部横断面の最大寸法より小径の複数のアンカー孔を有しているので、白アリの進行をこのシート材により阻止できると共に、前記２層の断熱材の間にシート材を介在させた状態においてはこのアンカー孔内に接着剤や合成樹脂発泡体等が充填されるので、アンカー効果により前記２層目の断熱材の取付けをより強固にできるという利点がある。
【図面の簡単な説明】
【図１】第１実施形態に係る建物の防蟻構造の縦断面図。
【図２】図１のＸ−Ｘ線断面図。
【図３】  (a) は白アリの平面図、(b) は(a) のＹ−Ｙ線断面図。
【図４】ステンレスメッシュの要部拡大平面図。
【図５】複数のアンカー孔を形成したパンチングメタルの要部拡大平面図。
【図６】第２実施形態に係る建物の防蟻構造の縦断面図。
【符号の説明】
Ａ  建物
Ｂ  軸組
Ｃ  床組
１  布基礎
２  立ち上がり部
２ａ  外側面
２ｂ  内側面
３  断熱材
３ａ  外側面
４  白アリ
４ａ  頭部
５  ステンレスメッシュ（シート材）
６  断熱材
９  編み目（アンカー孔）
１０  アンカー孔
１１  パンチングメタル（シート材）
１２ａ  地盤面
２３  断熱材
２３ｄ  下面
２６  断熱材
【図１】
0003713589.tif 000002
【図２】
0003713589.tif 000003
【図３】
0003713589.tif 000004
【図４】
0003713589.tif 000005
【図５】
0003713589.tif 000006
【図６】
0003713589.tif 000007